(57)【要約】      （修正有）【課題】誰にでも簡単に開反可能で作業性に優れた農業用被覆材を提供する。【解決手段】フレームＦに沿って展張される被覆材本体１からなる農業用被覆材Ａであって、被覆材本体１は、筒状被覆材１１の片面中央位置にスリット１２が軸方向へ入れられた観音開きの二つ折り状態で且つ幅寸法が１５０ｃｍ〜３００ｃｍに設定され、被覆材本体１の対向する内面に帯電防止層を有する。【選択図】図２
2019033676.tif 000002
【特許請求の範囲】
【請求項１】
フレームに沿って展張される被覆材本体からなる農業用被覆材であって、
前記被覆材本体は、筒状被覆材の片面中央位置にスリットが軸方向へ入れられた観音開きの二つ折り状態で且つ幅寸法が１５０ｃｍ〜３００ｃｍに設定され、前記被覆材本体の対向する内面に帯電防止層を有することを特徴とする農業用被覆材。
【請求項２】
前記帯電防止層に所定量のスリップ剤と所定量のアンチブロッキング剤が添加されることを特徴とする請求項１記載の農業用被覆材。
【請求項３】
前記帯電防止層に所定量の防曇剤が添加されることを特徴とする請求項１又は２記載の農業用被覆材。
【請求項４】
請求項１、２又は３記載の農業用被覆材の前記被覆材本体において幅方向の両側に配置される観音開きの両開き部を、それぞれ幅方向へ引っ張って展開することを特徴とする農業用被覆材の開反方法。
【発明の詳細な説明】
【技術分野】
【０００１】
本発明は、野菜や花や果樹などの農作物の生育を促す作物栽培用のハウスやトンネルに用いられるフィルム状又はシート状の農業用被覆材、及び、その開反方法に関するものである。
【背景技術】
【０００２】
従来、この種の農業用被覆材として、インフレーション成形機によって得られた筒状フィルムを圧着し、スリットすることによって得られる開き部のある二つ折り状態の農業用フィルムにおいて、農業用フィルムの開き部からエアーと共に澱粉を注入することにより、重なり合って密着している農業用フィルム同志の剥離性を改善したものがある（例えば、特許文献１参照）。
二つ折り状態の農業用フィルムは、芯に巻いた状態で輸送するが、その巻き形状としては、筒状フィルムの片側の折り目に沿ってスリットを入れることによって得られる片開き農業用フィルムと、筒状フィルムの片面の中央部に沿ってスリットを入れることによって得られる観音開き農業用フィルムがある。
このような農業用フィルムをハウスやトンネル等に張る（以下「展張」という）には、先ず芯から二つ折り状態の農業用フィルムを繰り出すための繰り出し工程と、さらに折り重なって密着しているフィルム同志を開く（以下「開反」という）ための開反工程が必要になる。
【先行技術文献】
【特許文献】
【０００３】
【特許文献１】特開平１１−１２９３１６号公報
【発明の概要】
【発明が解決しようとする課題】
【０００４】
ところで、作物栽培用施設としては、比較的に大きなハウス栽培と小さなトンネル栽培の他に、例えばベトコンハウス，トンネルハウス，ミニパイプハウスなどと呼ばれる、簡易的な構造のトンネルハウスが普及している。
大きなハウスは、サイズ的に生産者では組み立てが困難なため、専門業者がフィルムを展張して組み立てている。
これに対し、中間サイズのトンネルハウスや小さなトンネルは、生産者がフィルムを展張して組み立てている。このために生産者は、二つ折り状態から折り重なって密着したフィルム同志を開反する作業を行う必要があった。
しかし、二つ折り状態で折り重なって密着したフィルム同志を無理な力で剥そうとすると、フィルムが伸びて変形したり、破れたりするばかりか、剥離帯電によって発生する静電気によって、作業者が感電するという問題があった。
このような状況下で、材料の変更によりフィルム同志の剥離性を改善した農業用被覆材（農業用フィルム）が要望されている。
【課題を解決するための手段】
【０００５】
このような課題を達成するために、本発明に係る農業用被覆材は、以下の独立請求項に係る構成を少なくとも具備するものである。
［請求項１］  フレームに沿って展張される被覆材本体からなる農業用被覆材であって、
前記被覆材本体は、筒状被覆材の片面中央位置にスリットが軸方向へ入れられた観音開きの二つ折り状態で且つ幅寸法が１５０ｃｍ〜３００ｃｍに設定され、前記被覆材本体の対向する内面に帯電防止層を有することを特徴とする農業用被覆材。
【図面の簡単な説明】
【０００６】
【図１】本発明の実施形態に係る農業用被覆材及びその開反方法を示す説明図であり、展張開始時の斜視図である。
【図２】開反時の状態を示す斜視図である。
【図３】開反後の状態を示す一部切欠した斜視図であり、一方の妻面側を開口させている。
【図４】完成後の状態を示す一部切欠した斜視図であり、一方の妻面側を開口させている。
【発明を実施するための形態】
【０００７】
以下、本発明の実施形態を図面に基づいて詳細に説明する。
本発明の実施形態に係る農業用被覆材Ａは、図１〜図４に示すように、作物栽培用施設としてベトコンハウス，トンネルハウス，ミニパイプハウスなどと呼ばれる、簡易的な中間サイズのトンネルハウスＢに用いられる農業用フィルム又は農業用シートである。
ベトコンハウスなどの中間サイズのトンネルハウスＢは、間口寸法ＢＷが３００ｃｍ以下、高さ寸法ＢＨが約１５０〜２００ｃｍであり、その骨組みとなる複数のフレームＦと、フレームＦに沿って展張される被覆材本体１と、を主要な構成要素として備えている。
複数のフレームＦは、アーチ状に形成され、その一対の末端部Ｆ１を地面Ｇに差し込んで複数のフレームＦが所定間隔で並ぶように設置される。
【０００８】
詳しく説明すると、本発明の実施形態に係る農業用被覆材Ａの被覆材本体１は、観音開きの二つ折り状態で且つ所定の幅寸法Ｗに設定され、被覆材本体１の二つ折り状態で対向する内面に帯電防止層１ａを有している。
二つ折り状態の被覆材本体１の幅寸法Ｗは、中間サイズのトンネルハウスＢの間口寸法ＢＷの半分よりも長い約１５０ｃｍ〜３００ｃｍであり、主としては約２７０〜３００ｃｍで厚みが約０．０４ｍｍ〜０．０５ｍｍのフィルム又はシートを用いている。
被覆材本体１の製造方法は、先ずインフレーション製法により筒状被覆材１１を成形する。その後、筒状被覆材１１の片面中央位置にスリット（センタースリット）１２を軸方向へ入れることにより、観音開きタイプの二つ折り形態（ダブル品）が得られ、芯を中心としてロール状に巻き取られる。
【０００９】
被覆材本体１の主要材料としては、ポリエチレン（ＰＥ）、ポリプロピレン、エチレン−酢酸ビニル共重合体（ＥＶＡ）、エチレン−エチルアクリレート共重合体（ＥＥＡ）などのポリオレフィン系樹脂を初めとして、スチレン系樹脂、アクリル系樹脂、ポリアミド系樹脂、ポリエステル系樹脂、ポリ塩化ビニル、熱可塑性ポリウレタン樹脂、ポリカーボネイト樹脂などの熱可塑性樹脂が挙げられる。これらを単独もしくは２種以上の混合物として用いて良いが、中でもインフレーション成形が可能なポリエチレン、ポリプロピレン、ＥＶＡ、ＥＥＡや熱可塑性ポリウレタン樹脂などが好適に用いられる。
被覆材本体１には、防曇剤、防霧剤、酸化防止剤、紫外線吸収剤、光安定剤（ＨＡＬＳ）、スリップ剤、アンチブロッキング剤（ＡＢ剤）、目ヤニ防止剤、ハイドロタルサイト類やアルミニウムシリケートなどの保温剤、熱安定剤、可塑剤、顔料などの添加剤が必要に応じて添加される。
防曇剤としては、ジグリセリンモノステアレート、ジグリセリンモノオレエート、ポリオキシプロピレンソルビタンモノ、ソルビタントリベヘネートなどが挙げられる。
スリップ剤としては、エルカ酸モノアミドやオレイン酸アミドなどが挙げられる。
アンチブロッキング剤としては、透明性が良い物であれば水酸化アルミニウム、シリカ、タルク、水酸化マグネシウム、炭酸カルシウムなどが挙げられる。またアンチブロッキング剤の粒子径は、比較的に大きいものの方が小さいものに比べて、後述する口開き性の評価において剥離力が低くて展開し易い。
【００１０】
さらに被覆材本体１は、単層構造であっても良いが、防曇持続性、透明性、防塵性、柔軟性及び強度などの観点から積層構造とする方が好ましい。
特に帯電防止層１ａには、所定量のスリップ剤としてエルカ酸モノアミドやオレイン酸アミドに加え、所定量のアンチブロッキング剤として水酸化アルミニウムを添加することが好ましい。このエルカ酸モノアミドとしては、日油株式会社製のアルフロー（登録商標）Ｐ−１０が該当する。このオレイン酸アミドとしては、日油株式会社製のアルフロー（登録商標）ＡＤ−２８１が該当する。この水酸化アルミニウムとしては、昭和電工株式会社製のハイジライト（登録商標）Ｈ３２が該当する。
さらに帯電防止層１ａには、所定量の防曇剤としてジグリセリンモノステアレートを添加することが好ましい。このジグリセリンモノステアレートとしては、花王株式会社製のサンスルーザー２２０が該当する。
【００１１】
次に中間サイズのトンネルハウスＢにおける農業用被覆材Ａの組み立て方法（設置方法）について説明する。
中間サイズのトンネルハウスＢにおいて天井Ｂ１や側面Ｂ２を作製するための農業用被覆材Ａの組み立て方法は、芯から二つ折り状態の被覆材本体１を繰り出すための繰り出し工程と、折り重なった被覆材本体１の両開き部１３をそれぞれ開くための開反工程と、を主要な工程として含んでいる。
繰り出し工程では、図１に示されるように、芯に巻いた状態で輸送された原反となる被覆材本体１を、作業者が複数のフレームＦに沿って繰り出し、被覆材本体１において幅方向と交差する長さ寸法Ｌが、中間サイズのトンネルハウスＢの全長ＢＬよりも長くなるように切断する。
この際、被覆材本体１において幅方向の両側に配置される観音開きの両開き部１３が上向きとなるように繰り出す。
【００１２】
開反工程では、被覆材本体１において観音開きの両開き部１３を作業者がそれぞれ被覆材本体１の幅方向へ引っ張って展開する。
この開反作業は、二人の作業者が被覆材本体１の長さ方向へ被覆材本体１を挟んで互いに対面するように配置され、これら二人の作業者が被覆材本体１における両開き部１３の各端部位１３ａを持ってほぼ同時に引っ張るか、順次引っ張って展開する。
図２に示される例の場合には、被覆材本体１の開反作業が終了した後に、作業者が複数のフレームＦの上方に被覆材本体１を載せ、複数のフレームＦの外側に沿って被覆材本体１を被せている。
また、その他の例として図示しないが、複数のフレームＦの上方に被覆材本体１を載せた後に、被覆材本体１の開反作業を行うことも可能である。中間サイズのトンネルハウスＢの高さ寸法ＢＨが作業者の身長よりも低いなど、複数のフレームＦの上方に被覆材本体１を載せることができれば、開反作業の終了後に作業者が被覆材本体１の両開き部１３を離すだけで、複数のフレームＦの外側に沿って両開き部１３が自然に落ち、一気に被せる作業も完了して作業性に優れるという利点がある。
【００１３】
開反工程の終了後は、中間サイズのトンネルハウスＢにおいて妻面Ｂ３を作製するための工程と、被覆材本体１の両開き部１３において裾部１３ｂを地面Ｇに埋め込むための埋め込み工程と、が行われる。
図３に示される例では、中間サイズのトンネルハウスＢにおいて一方の妻面Ｂ３を破線で示し、他方の妻面Ｂ３を二点鎖線で示している。
埋め込み工程では、図４に示されるように、裾部１３ｂを地面Ｇに挿入するか、又は裾部１３ｂに沿わせて地面Ｇの土を盛り、足で踏み込むなどして移動不能に固定される。
【００１４】
このような本発明の実施形態に係る農業用被覆材Ａによると、作物栽培用施設がベトコンハウスなどと呼ばれる中間サイズのトンネルハウスＢであっても、二つ折り状態で観音開きの被覆材本体１を開反することにより、帯電防止層１ａ同士が静電気で密着することなくスムーズに剥がれて展開する。
したがって、誰にでも簡単に開反可能で作業性に優れた農業用被覆材Ａを提供することができる。
その結果、農業用フィルムの開き部からエアーと共に澱粉を注入する必要がある従来のものに比べ、エアーと共に澱粉を注入しなくても剥離性能に極めて優れ、開反作業時において被覆材本体１が無理な力で伸び変形せず、発生する静電気量が少ない。
このため、作業者の感電事故及びスパークによる引火事故の発生を防止できる。
【００１５】
特に、帯電防止層１ａに所定量のスリップ剤と所定量のアンチブロッキング剤を添加することが好ましい。
帯電防止層１ａにおける添加物全体１００重量％に対するスリップ剤の添加量は、０．１０重量％以下では効果が得られず、１．０重量％を越えると、撥水作用が生じ、スリップ剤が帯電防止層１ａ内で表面側（流滴性が必要なハウス内面側）に移動して、流滴効果を妨げる要因となる。このため、帯電防止層１ａにおける添加物全体１００重量％に対してスリップ剤を０．１１重量％〜０．４重量％含有させることが好ましい。さらに詳しくはスリップ剤の添加量を０．１５重量％〜０．３５重量％に設定することが好ましい。
帯電防止層１ａにおける添加物全体１００重量％に対するアンチブロッキング剤の添加量は、１．５０重量％以下では効果が得られず、４．５０重量％を越えると、透明性が悪くなって透過量を低下させて農作物の生育に必要な光量が不足する可能性がある。このため、帯電防止層１ａにおける添加物全体１００重量％に対してアンチブロッキング剤を１．６０重量％〜４．４０重量％含有させることが好ましい。さらに詳しくはアンチブロッキング剤の添加量を２．２５重量％〜３．７５重量％に設定することが好ましい。
この場合には、適量のスリップ剤に加えて適量のアンチブロッキング剤が添加されることにより、スリップ剤及びアンチブロッキング剤の組み合わせで、帯電防止層１ａ同士の剥離力、滑り性、表面粗さが改善され、口開き性に大きく影響する。
したがって、帯電防止層１ａ同士の展開性を向上させることができる。
その結果、更なる剥離性能の向上が図れる。
【００１６】
さらに、帯電防止層１ａに所定量の防曇剤を添加することが好ましい。
帯電防止層１ａにおける添加物全体１００重量％に対する防曇剤の添加量は、０．１重量％以下では効果が得られず、３．０重量％を越えて添加すると、経時的に帯電防止層１ａの表面に滲出するブリードアウト現象によりベタツキを発生させ易い。このため、帯電防止層１ａにおける添加物全体１００重量％に対して防曇剤を０．３重量％〜２．３重量％含有させることが好ましい。さらに詳しくは防曇剤を０．５０重量％〜１．０重量％に設定することが好ましい。
この場合には、適量の防曇剤の添加により、静電気量が低下する。
したがって、帯電防止層１ａ同士の展開性を向上させることができる。
その結果、更なる剥離性能の向上が図れる。
【００１７】
そして、このような本発明の実施形態に係る農業用被覆材Ａの開反方法によると、先ず農業用被覆材Ａの被覆材本体１において観音開きの両開き部１３を、農業用被覆材Ａの長さ方向へ対面する二人の作業者が持つ。
これに続いて、図２に示されるように、被覆材本体１の両開き部１３を被覆材本体１の幅方向へ引っ張ることにより、帯電防止層１ａ同士が静電気で密着せずスムーズに剥がれる。このため、被覆材本体１の両開き部１３がそれぞれ一気に展開される。
したがって、二人の作業者のみで被覆材本体１の観音開きの両開き部１３を確実に展開することができる。
その結果、作業性に優れる。
【実施例】
【００１８】
以下に、本発明の実施例を説明する。
［実施例１〜３及び比較例１〜４］
表１に示す実施例１〜３と表２に示す比較例１〜４は、三層構造の被覆材本体１においてその内層となる帯電防止層１ａに、それらに記載された成分をそれぞれの割合で混合して、内層，中間層及び外層の全体厚みが０．０５ｍｍとなるように加工したものである。そして、同じサイズの評価試料をそれぞれ作製した。
実施例１〜３及び比較例１〜４では、表１及び表２には示さないが、中間層及び外層における配合量の全てを共通の構成にしている。中間層では、ＥＶＡとＰＥ（メタロセン系ＰＥ）に防曇剤、防霧剤、酸化防止剤、紫外線吸収剤、ＨＡＬＳ、保温剤、顔料などを所定量ずつ添加している。外層には、ＥＶＡとＰＥに防曇剤、防霧剤、酸化防止剤、紫外線吸収剤、ＨＡＬＳ、ＡＢ剤、スリップ剤、目ヤニ防止剤などを所定量ずつ添加している。
実施例１〜３及び比較例１〜４の内層となる帯電防止層１ａでは、複数種類のＰＥ（メタロセン系ＰＥを含む）の合計９４．５重量％に、その他の添加剤として酸化防止剤、紫外線吸収剤、ＨＡＬＳ、目ヤニ防止剤などのを所定量ずつ配合しており、共通の構成にしている。
【００１９】
実施例１では、スリップ剤の含有量が０．１５重量％と、ＡＢ剤の含有量が２．２５重量％と、防霧剤の含有量が０．５０重量％と、その他の添加剤の含有量が２．６０重量％の混合樹脂になっており、二つ折り形態が観音開きタイプ（センタースリット）になっている。
実施例２では、スリップ剤の含有量が０．２０重量％と、ＡＢ剤の含有量が３．００重量％と、防霧剤の含有量が０．５０重量％と、その他の添加剤の含有量が１．８０重量％の混合樹脂になっており、二つ折り形態が観音開きタイプ（センタースリット）になっている。
実施例３では、スリップ剤の含有量が０．２５重量％と、ＡＢ剤の含有量が３．７５重量％と、防霧剤の含有量が０．５０重量％と、その他の添加剤の含有量が１．００重量％の混合樹脂になっており、二つ折り形態が観音開きタイプ（センタースリット）になっている。
【００２０】
一方、比較例１では、実施例２と共通しているものの、二つ折り形態が片開きタイプ（サイドスリット）であるところが異なっている。この片開きタイプとは、被覆材本体の製造方法で筒状被覆材の片側の折り目に沿ってスリットを軸方向へ入れることにより得たものである。
比較例２では、スリップ剤の含有量が１．００重量％と、ＡＢ剤の含有量が３．００重量％と、その他の添加剤の含有量が１．５０重量％の混合樹脂になっており、二つ折り形態が片開きタイプ（サイドスリット）であるところが異なっている。
比較例３では、スリップ剤の含有量が１．００重量％と、ＡＢ剤の含有量が３．００重量％と、防霧剤の含有量が０．５０重量％と、その他の添加剤の含有量が１．００重量％の混合樹脂になっており、二つ折り形態が片開きタイプ（サイドスリット）であるところが異なっている。
比較例４では、スリップ剤の含有量が０．２０重量％と、ＡＢ剤の含有量が３．００重量％と、防霧剤の含有量が１．００重量％と、その他の添加剤の含有量が１．３０重量％の混合樹脂になっており、二つ折り形態が片開きタイプ（サイドスリット）であるところが異なっている。
【００２１】
［評価基準］
表１及び表２に示される評価結果（静電気量、表面固有抵抗値、口開き性、総合評価）は、以下の指標に基づくものである。
「静電気量」の評価は、各評価試料を開反した時において、春日電気社製のデジタル静電電位測定器（ＫＳＤ−０１０３）を、各評価試料の表面に約２ｃｍの距離に近づけて測定し、最大静電電位（ＫＶ）を読み取り、その測定値で評価した。
「表面固有抵抗値」の評価は、各評価試料を開反した時において、日置電機社製のＳＭ９００１で測定し、最大静電電位（Ω）を読み取り、その測定値で評価した。
「口開き性」は、実施例１〜３及び比較例１〜４の各評価試料において、被覆材本体１の内層となる帯電防止層１ａ同士の剥離力（ｇ／１０ｃｍ幅）、滑り性（帯電防止層１ａ同士の静止摩擦係数）、帯電防止層１ａの表面粗さ（μｍ）、透明性（ヘイズ値）を測定した。作業者が屋外で実際に開反する作業を行い、展開性と作業性を確認するための試験である。その試験結果を四段階で評価した。
この「口開き性」の評価結果において、◎：全く密着せず自然に展開できる、○：僅かに密着するものの自然に展開できる、△：密着してやや重く展開が困難、×：べったり密着して展開が非常に困難、のように評価した。
「総合評価」とは、前述した「口開き性」「静電気量」「表面固有抵抗値」の評価結果に基づいて総合的に三段階で評価した。
この「総合評価」の評価結果において、◎：最適、○：良、×：不向き、のように評価した。
【００２２】
【表１】
2019033676.tif 000003
【００２３】
【表２】
2019033676.tif 000004
【００２４】
［評価結果］
実施例１〜３及び比較例１〜４を比較すると、実施例１〜３は、静電気量、表面固有抵抗値、口開き性、総合評価の全てにおいて良好な評価結果が得られている。
特に、実施例２及び実施例３は、帯電防止層１ａにおける添加物全体１００重量％に対するスリップ剤の添加量を０．２０重量％〜０．２５重量％とし、アンチブロッキング剤の添加量を３．００重量％〜３．７５重量％とし、防曇剤の添加量を０．５０重量％としている。これにより、静電気量、表面固有抵抗値、口開き性（剥離力、滑り性、表面粗さ、透明性）が共に最高となった。屋外で実際に開反する作業を行う試験では、被覆材本体１における両開き部１３の各端部位１３ａを幅方向に引張るだけで自然に口開き、展開作業がほとんど不要であった。
この評価結果から明らかなように、実施例１〜３は、帯電防止層１ａ同士が静電気で密着することなくスムーズに剥がれて展開できることを実証した。
【００２５】
これに対して、比較例１〜４は、口開き性、静電気量、表面固有抵抗値、総合評価のいずれかで不良な評価結果になっている。
詳しく説明すると、比較例１は、被覆材本体１の内層となる帯電防止層１ａの配合が実施例２と共通しているものの、二つ折り形態が片開きタイプで観音開きタイプに比べ開反面積が二倍に増大したため、静電気量を実施例２のレベルまで減少できなかった。これにより、開反作業を行う作業者の人数は、被覆材本体１の長さ方向へ対面配置される二人のみでは内層同士の剥離が困難で、内層同士を剥離しながら移動する作業者がいなければ内層同士の剥離を行えす、最低でも三名が必要であった。屋外で実際に開反する作業を行う試験では、風にあおられて展張することが困難であった。
比較例２は、比較例１に比べてスリップ剤の含有量が５倍に増加されているものの、防霧剤が添加されず片開きタイプであるため、比較例１よりも静電気量や表面固有抵抗値が作業者に電撃が走るレベルまで増大し、口開き性が悪くなった。
比較例３は、比較例１に比べてスリップ剤の含有量が５倍に増加され、防霧剤も同様に添加されたものの、片開きタイプであるため、比較例３よりも静電気量は減少したが、口開き性は改善されず悪かった。
比較例４は、比較例１に比べて防霧剤の含有量が２倍に増加されたものの、片開きタイプであるため、比較例１よりも静電気量や表面固有抵抗値は減少したが、口開き性は改善されず悪かった。
【００２６】
なお、前示の実施例１〜３及び比較例１〜４では、二つ折り形態の観音開きタイプと片開きタイプの違いについて評価したが、その他の比較例としてガセット折り形態が観音開きタイプについても同じサイズの評価試料を作製し、同様な評価を行った。
ガセット折りで観音開きタイプは、二つ折り形態のものに比べて幅寸法が短くなるため、芯に巻いた原反状態でコンパクト化され輸送し易いものの、開反作業では重なり部分が多いため、静電気量が比較例１と同等レベルまで増えて口開き性が悪くなった。
さらにガセット折りは、二つ折りに比べて折り目が増えた分だけ、水滴が溜まり易くなって病害や折り目部からの破れのリスクが高くなり、不向きである。
【符号の説明】
【００２７】
Ａ  農業用被覆材                        １  被覆材本体
１１  筒状被覆材                        １２  スリット
１３  開き部                            １ａ  帯電防止層
Ｆ  フレーム                            Ｗ  幅寸法
【図１】
2019033676.tif 000005
【図２】
2019033676.tif 000006
【図３】
2019033676.tif 000007
【図４】
2019033676.tif 000008